(57)【要約】  通風路（７）に、イオン発生装置（１）は送風方向に沿って前後に配置される。イオンセンサ（３３）は、送風方向の上流側に位置するイオン発生装置（１）と下流側に位置するイオン発生装置（１）との間に設けられ、イオンセンサ（３３）は、両イオン発生装置（１）に通風路（７）を挟んで対向して配置される。２つのイオン発生装置（１）は、交互に動作する。２つのイオン発生装置（１）の動作タイミングに応じてイオンの検出が行われる。少ない個数のイオンセンサにより、複数のイオン発生装置の異常を確実に検出することができる。
2016035389.tif 000002
【特許請求の範囲】
【請求項１】
放電によりイオンを発生するイオン発生装置と、イオンの発生の有無を検出するイオンセンサとを備え、通風路内に発生したイオンを送風により吹出口から吹き出すイオン発生機であって、複数のイオン発生装置が一定間隔で送風方向に沿って並んで配置され、イオンセンサは、送風方向の上流側に位置するイオン発生装置と下流側に位置するイオン発生装置の間に設けられたことを特徴とするイオン発生機。
【請求項２】
イオン発生装置は、正イオンを発生させるための正放電電極と負イオンを発生させるための負放電電極とを有し、送風方向の上流側に位置するイオン発生装置の放電電極と下流側に位置するイオン発生装置の放電電極とは逆極性とされ、イオンセンサは、正イオンおよび負イオンを検出することを特徴とする請求項１記載のイオン発生機。
【請求項３】
イオン発生装置は、通風路に面するように設けられ、イオンセンサは、通風路を挟んでイオン発生装置に対向して配されたことを特徴とする請求項１または２記載のイオン発生機。
【請求項４】
送風方向に沿って並んだ２つのイオン発生装置は、交互に動作し、２つのイオン発生装置の動作タイミングに応じてイオンの検出が行われることを特徴とする請求項１〜３のいずれかに記載のイオン発生機。
【請求項５】
イオン発生装置が動作を開始した後に、イオンの検出が開始されることを特徴とする請求項４記載のイオン発生機。
【発明の詳細な説明】
【技術分野】
【０００１】  本発明は、空気中の放電によってイオンを発生するイオン発生機に関する。
【背景技術】
【０００２】  イオン発生機では、空気中での放電により正イオンおよび負イオンを発生し、発生したイオンが空気中に放出される。放出された正イオンおよび負イオンが帯電している物体に当たると、物体表面の静電気が中和され、物体が除電される。【０００３】  このようなイオン発生機が正常に動作しているかを確認するために、イオン発生機は、イオンの発生の有無を検出するイオンセンサを備えている。イオンセンサは、例えば特許文献１に記載されているように、通風路に横一列の並ぶように配置されたイオン発生装置よりも吹出口側に配されている。
【先行技術文献】
【特許文献】
【０００４】
【特許文献１】特開２０１３−４５７００号公報
【発明の概要】
【発明が解決しようとする課題】
【０００５】  ところで、正イオンおよび負イオンをバランスよく、かつ高いイオン濃度で広範囲にイオンを到達させるために、横一列に配置されたイオン発生装置が送風方向に沿って並んで配置される。このように配置された複数のイオン発生装置に対して、風下側に設けられた１つのイオンセンサでは、イオン発生機自身でのイオン発生の有無を検出できる。しかし、各イオン発生装置から発生するイオンを個別に検出することはできない。そのため、イオン発生装置に異常が生じても、いずれのイオン発生装置であるか特定することができない。そこで、各イオン発生装置に対して、それぞれイオンセンサを設ければよいが、多数のイオンセンサが必要となって、コスト的にもスペース的にも最善の策ではない。【０００６】  本発明は、上記に鑑み、イオンセンサの配置を考慮することにより、複数のイオン発生装置が設けられていても、各イオン発生装置の異常を確実に検出できるイオン発生機の提供を目的とする。
【課題を解決するための手段】
【０００７】  本発明のイオン発生機は、放電によりイオンを発生するイオン発生装置と、イオンの発生の有無を検出するイオンセンサとを備え、通風路内に発生したイオンを送風により吹出口から吹き出すものである。複数のイオン発生装置が一定間隔で送風方向に沿って並んで配置され、イオンセンサは、送風方向の上流側に位置するイオン発生装置と下流側に位置するイオン発生装置の間に設けられる。【０００８】  前後方向に隣り合うイオン発生装置の間にイオンセンサが設けられることにより、１つのイオンセンサで少なくとも２つのイオン発生装置から発生したイオンが検出可能とされる。【０００９】  イオン発生装置は、正イオンを発生させるための正放電電極と負イオンを発生させるための負放電電極とを有し、送風方向の上流側に位置するイオン発生装置の放電電極と下流側に位置するイオン発生装置の放電電極とは逆極性とされ、イオンセンサは、正イオンおよび負イオンを検出する。１つのイオンセンサにより、極性の異なるイオンを検出できる。【００１０】  イオン発生装置は、通風路に面するように設けられ、イオンセンサは、通風路を挟んでイオン発生装置に対向して配される。イオンセンサがイオン発生装置に対向していることにより、複数のイオン発生装置から発生して広がるイオンを検出することができる。【００１１】  送風方向に沿って並んだ２つのイオン発生装置は、交互に動作し、２つのイオン発生装置の動作タイミングに応じてイオンの検出が行われる。イオンセンサは、上流側のイオン発生装置からのイオンを検出した後、下流側のイオン発生装置からのイオンを検出する。これにより、個別にイオン発生装置のイオン発生の有無を検出できる。【００１２】  イオン発生装置が動作を開始した後に、イオンの検出が開始される。イオン発生装置の動作タイミングとイオンセンサの検出タイミングとをずらすことにより、検出開始時のノイズの影響を排除できる。
【発明の効果】
【００１３】  本発明によると、隣り合うイオン発生装置の間にイオンセンサを設けることにより、できる限り少ないイオンセンサで複数のイオン発生装置に対するイオン発生の有無を検出することができる。
【図面の簡単な説明】
【００１４】
【図１】本発明のイオン発生機の斜視図
【図２】イオン発生機の正面図
【図３】イオン発生機の背面図
【図４】イオン発生機の断面図
【図５】イオン発生装置が設けられた通風路を示す図
【図６】イオン発生機の制御ブロック図
【図７】イオン発生装置に対するイオンセンサの位置を示す図
【図８】イオン発生装置から発生したイオンの分布を示す図
【図９】イオン発生装置の動作タイミングとイオンセンサの出力を示す図
【図１０】イオン発生装置の動作タイミングに対して検出タイミングをずらしたときのイオンセンサの出力を示す図
【図１１】イオンを検出可能なイオンセンサの位置の範囲を示す図
【図１２】イオンセンサの上流側の限界位置を示す図
【図１３】イオン発生装置の動作タイミングとイオンセンサの出力を示す図
【図１４】イオンセンサの下流側の限界位置を示す図
【図１５】イオン発生装置の動作タイミングとイオンセンサの出力を示す図
【図１６】風量が中のときのイオン発生装置の動作タイミングとイオンセンサの出力を示す図
【図１７】風量が弱のときのイオン発生装置の動作タイミングとイオンセンサの出力を示す図
【図１８】風量が強のときのイオン発生装置の動作タイミングとイオンセンサの出力を示す図
【発明を実施するための形態】
【００１５】（第１実施形態）  本実施形態のイオン発生機を図１〜５に示す。イオン発生機は、イオンを発生するイオン発生装置１と、発生したイオンを外部に放出するファン２と、イオン発生装置１およびファン２を収納するハウジング３と、ハウジング３を回動可能に支持するスタンド４とを備えている。スタンド４は、回動されたハウジング３の角度を保持する機能を有し、ハウジング４の角度を調整できる。イオン発生装置１は、正イオンおよび負イオンを発生する。正イオンおよび負イオンが物体の表面に帯びている電荷を除去することにより、被対象物体を除電できる。すなわち、本イオン発生機は、除電装置として使用される。
【００１６】  ハウジング３の上面に吸込口５が形成され、前面に吹出口６が形成される。ハウジング３内に、吸込口５から吹出口６に至る通風路７が形成される。送風路７内の吸込口５の近くにフィルタが設けられる。
【００１７】  通風路７の入口側に、ファン２が配される。ファン２は、クロスフローファンとされ、ハウジング３に回動可能に保持される。クロスフローファンは、複数の羽根車１０が軸方向に連結されてなり、一端に配されたモータ１１によって回転される。したがって、ファン２による送風方向は、前後方向において後側から前側に向かう方向となる。
【００１８】  ファン２よりも下流側では、通風路７は、四方を壁に囲まれて、下方から水平になるように湾曲し、ハウジング３の前面に向かってほぼ水平に形成される。通風路７の左右の側壁１５は、互いに平行にかつ下壁１６に対して垂直に形成される。通風路７の上壁１７は、前側に向かって斜め上に傾斜している。通風路７は、左右方向の幅は変わらない、すなわち上流側から下流側にかけて左右方向の幅は同じである。そして、下流側に向かうにつれて上方に広がる。
【００１９】  ハウジング３の前面に凹部２０が形成され、凹部２０の奥側が開口され、通風路７に連通している。この凹部２０が吹出口６とされる。通風路７の左右の側壁１５が延長されて、吹出口６の左右の側壁とされる。吹出口６の左右方向の幅は通風路７の左右方向の幅と同じである。吹出口６は、前側に向かうにつれて上下に広がっている。吹出口６に、左右方向の風向きを決めるルーバ２１が設けられる。なお、２２は左右方向に延びた水平板である。
【００２０】  イオン発生装置１は、２つの放電電極２５、２６を有し、針状の２つの放電電極２５、２６が樹脂製のケース２７に収容される。ケース２７内に、各放電電極２５、２６に高電圧を印加する高電圧発生回路２８が設けられている。放電電極２５、２６は、正イオンを発生する正放電電極２５と、負イオンを発生する負放電電極２６とされ、各放電電極２５、２６が左右方向に所定の間隔をあけて並べて配置される。
【００２１】  イオン発生機は、複数のイオン発生装置１を備えている。イオン発生装置１は、通風路７の上壁１７に設けられる。イオン発生装置１の下部は、通風路７内に位置し、放電電極２５、２６が通風路７に臨む。図５に示すように、複数のイオン発生装置１が一定間隔で前後左右に並んで配置される。すなわち、３つのイオン発生装置１が左右方向に一列に並べられる。また、２列のイオン発生装置１が送風方向に沿って前後に並べられる。通風路７において、後列のイオン発生装置１は、前列のイオン発生装置１よりも低い位置にある。送風方向の上流側では、イオンは低い位置で発生し、下流側では、上流側よりも高い位置で発生する。これにより、吹き出されるイオンは上下方向に均等に広がる。
【００２２】  隣り合うイオン発生装置１において、前後左右の放電電極２５、２６は逆極性となる。すなわち、前後に並んだイオン発生装置１において、送風方向の上流側（後列）に負放電電極２６あるとき、下流側（前列）には正放電電極２５がくる。また、左右方向に並んだイオン発生装置１において、一方のイオン発生装置１に正放電電極２５があるとき、隣のイオン発生装置１では負放電電極２６がくる。
【００２３】  図６に示すように、イオン発生機は、運転スイッチ３０および風量スイッチ３１と、イオン発生装置１およびファンを駆動制御する制御装置３２とを備えている。制御装置３２は、運転スイッチ３０のオンによりイオン発生装置１およびファン２を動作させる。運転スイッチ３０がオンされると、制御装置３２は、各イオン発生装置１の高電圧発生回路２８の駆動を制御する。また、風量スイッチ３１が操作されると、制御装置３２は、設定された風量に応じてファン２の回転数を変える。これにより、風量の強弱が切り替えられる。
【００２４】  高電圧発生回路２８は、正放電電極２５および負放電電極２６に対し、同レベルの高電圧を印加する。制御装置３２は、一定の周期で印加と印加停止とを繰り返すように高電圧発生回路２８を制御する。これにより、１つのイオン発生装置１において、一定の周期で同量の正イオンおよび負イオンが同時に発生する。
【００２５】  そして、前列のイオン発生装置１の高電圧発生回路２８と後列のイオン発生装置１の高電圧発生回路２８とは、半周期ずれて駆動される。すなわち、後列のイオン発生装置１がイオンを発生しているとき、前列のイオン発生装置１は停止している。前列のイオン発生装置１がイオンを発生しているとき、後列のイオン発生装置１は停止している。前後のイオン発生装置１は交互に同量の正イオンおよび負イオンを発生する。発生したイオンは、ファン２の駆動によって発生する風によって通風路７内を運ばれる。そして、正イオンおよび負イオンは、吹出口６から被対象物体に向かって吹き出される。
【００２６】  このように、前後左右に正負の放電電極２５、２６が交互に並び、周期的に放電することにより、空間的にも時間的にも正イオンおよび負イオンが均等に発生することになり、均一なイオンバランスを実現できる。したがって、除電装置としての機能を十分に発揮させることができる。
【００２７】  ところで、イオン発生装置１に異常が発生すると、イオンが発生しなくなったり、あるいは発生するイオン量が少なくなる。また、フィルタが目詰まりすると、ファン２による風量が低下して、検出されるイオン量が少なくなる。このような異常を検出するために、イオン発生機は、イオンの発生の有無を検出するイオンセンサ３３を備えている。
【００２８】  イオンセンサ３３は、イオンを捕集して、捕集したイオン量に応じて電位を発生する。この電位に応じた検出値が制御装置３２に出力される。検出値はイオン量に比例する。また、イオンセンサ３３が正イオンを検出したときの検出値は、負イオンを検出したときの検出値とは逆極性となる。
【００２９】  制御装置３２は、検出値に基づいてイオンの発生の有無を判断する。イオンが発生していないとき、あるいは発生したイオン量が少ないとき、検出値は規定値より低くなる。検出値が規定値より低いとき、制御装置３２は、イオンが発生していないと判断し、検出値が規定値以上のとき、制御装置３２は、イオンが発生していると判断する。イオンの発生無しと判断されたとき、制御装置３２は、運転を停止して、異常を報知する。ユーザは、イオン発生装置１のクリーニング、イオン発生装置１の交換、フィルタの交換あるいはクリーニングといった対処を行う。
【００３０】  イオンの検出は、全てのイオン発生装置１が対象とされる。そのため、イオンセンサ３３は複数設けられる。できる限りイオンセンサ３３の使用個数を少なくするために、１つのイオンセンサ３３は、複数のイオン発生装置１を検出対象とする。そこで、図７に示すように、イオンセンサ３３は、前後に並んだイオン発生装置１の間に設けられる。イオンセンサ３３は、通風路７の下壁１６に設けられ、通風路７を挟んでイオン発生装置１と対向する。３つのイオンセンサ３３が、左右方向に等間隔に並んで配置される。
【００３１】  図８に示すように、イオン発生装置１から発生したイオンは、放電電極２５、２６を中心にして分布する。イオンセンサ３３は、前列の放電電極２５および後列の放電電極２６から発生したイオンが到達する範囲内に位置する。すなわち、イオンセンサ３３は、前列の放電電極２５と後列の放電電極２５との間であって、前後の放電電極２５、２６からのイオンが到達する範囲内にある下壁１６に設けられる。通風路７に風が吹いていても、発生したイオンは下壁１６まで到達する。ここでは、イオンセンサ３３は、前列の放電電極２５と後列の放電電極２６との中間位置、すなわち両放電電極２５、２６から等距離の位置に設けられる。
【００３２】  このように、１つのイオンセンサ３３で２つのイオン発生装置１のイオン発生の有無を検出することができる。イオン発生装置１が多数あっても、同数のイオンセンサ３３を設ける必要がなく、イオンセンサ３３の個数を削減できる。イオンセンサ３３の削減により、センサの設置スペースが少なくてすみ、イオン発生機の小型化を図れ、コストダウンも図れる。しかも、イオンセンサ３３はイオンを捕集することにより、イオンを検出するので、イオンセンサ３３が少なくなると、捕集されるイオンが減る。したがって、発生したイオンが減少する割合が減り、発生したイオンを効率よく空間に放出することができる。
【００３３】  イオンの発生とイオンの検出は同期して行われる。図９に示すように、後列のイオン発生装置１が動作すると、イオンが発生する。負放電電極２６からは負イオンが発生し、風に運ばれながら通風路７内を広がる。イオン発生装置１が正常であれば、負イオンが徐々にイオンセンサ３３に到達する。イオンセンサ３３から出力される検出値は、徐々に高くなっていく。イオンセンサ３３が制御装置３２に検出値を出力すると、制御装置３２は、検出値を規定値と比べ、イオンが正常に発生していると判断する。イオン発生装置１に異常があるとき、イオンは発生しないか、あるいは発生するイオン量が少なくなる。イオンセンサ３３が出力する検出値は低くなり、制御装置３２は、イオンの発生が異常であると判断する。
【００３４】  後列のイオン発生装置１の動作が停止すると、前列のイオン発生装置１が動作を開始する。正放電電極２５から正イオンが発生する。イオンセンサ３３は、正イオンの発生に応じた検出値を出力する。制御装置３２は、検出値に基づいてイオンの発生の有無を判断する。
【００３５】  ここで、イオンセンサ３３の検出は、イオン発生装置１の動作タイミングに応じて行う。すなわち、イオン発生装置１の動作タイミングとイオンセンサ３３の検出タイミングは同じタイミングとされる。後列のイオン発生装置１の動作が停止すると、前列のイオン発生装置１の動作が開始される。イオンセンサ３３は動作し続けるが、イオン発生装置１の動作の停止に合わせてイオンセンサ３３の出力がリセットされる。検出値が基準値に戻る。イオンセンサ３３は、すぐにイオンを検出する。このとき、先に発生したイオンが残留しているので、検出値は先のイオンによる値となる。次に発生したイオンがイオンセンサ３３に到達すると、検出値は現在のイオンによる逆極性の値となる。なお、制御装置３２は、検出値の変化をチェックしており、この変化も考慮して判断する。そのため、イオンの発生の有無が誤って判断されることはない。
【００３６】（第２実施形態）  本実施形態のイオン発生機では、イオン発生装置１の動作に対するイオンセンサ３３の検出タイミングの変更により、誤検知の可能性を低くする。すなわち、イオン発生装置１が動作を開始した後に、イオンの検出が開始される。その他の構成は第１の実施形態と同じである。
【００３７】  図１０に示すように、後列のイオン発生装置１が動作を停止すると、イオンセンサ３３は、出力をリセットする。前列のイオン発生装置１が動作を開始すると、イオンセンサ３３は、一定時間、例えば１０ｍｓ経過してから検出値の出力を開始する。一定時間の間、イオンセンサ３３は基準値を出力する。一定時間経過すると、イオンセンサ３３は、検出値を出力する。これにより、先に発生したイオンによる検出値が出力されるのを防ぐことができ、誤った判断がされる可能性が低くなる。
【００３８】  なお、イオンの検出は、制御装置３２において開始してもよい。イオンセンサ３３は、イオン発生装置１の動作と同時にイオンを検出して、検出値を出力する。しかし、制御装置３２は、イオン発生装置１の動作開始後、一定時間だけイオンセンサ３３からの出力に基づく判断は行わない。一定時間経過したとき、判断を開始する。例えば、制御装置３２は、一定時間経過するまでは、イオンセンサ３３の出力を受け取らない、あるいは受け取った検出値を無効にするなどの処理を行い、判断処理を行わない。
【００３９】（第３実施形態）  イオンセンサ３３は、送風方向の上流側に位置するイオン発生装置１と下流側に位置するイオン発生装置１との間に設けられる。そして、イオン発生装置１から発生したイオンが到達する範囲内にあればよい。すなわち、図１１に示すように、イオンセンサ３３は、前列の放電電極２５と後列の放電電極２６とによって規定される位置に設けられる。例えば、イオンセンサ３３は、下壁１６において、後列の放電電極２６に対向する位置に設けられる。あるいは、イオンセンサ３３は、下壁１６において、前列の放電電極２５に対向する位置に設けられる。これらの位置は、イオンを検出可能な限界位置である。なお、その他の構成は第１、第２の実施形態と同じである。
【００４０】  イオンセンサ３３が前列の放電電極２５と後列の放電電極２６との中間位置に対向するように下壁１６に設けられているとき、イオンセンサ３３から出力される検出値は、図１０に示すようになる。イオンセンサ３３が、図１２に示すような後列の放電電極２６に対向する位置に設けられているとき、イオンセンサ３３から出力される検出値は、図１３に示すようになる。イオンセンサ３３は、後列の放電電極２６に近く、前列の放電電極２５からは遠い位置にある。そのため、前列のイオン発生装置１から発生したイオンに対する検出値は低くなるが、イオンの発生の有無を検出できる出力レベル以上である。
【００４１】  イオンセンサ３３が、図１４に示すような前列の放電電極２５に対向する位置に設けられているとき、イオンセンサ３３から出力される検出値は、図１５に示すようになる。イオンセンサ３３は、前列の放電電極２５に近く、後列の放電電極２６からは遠い位置にある。そのため、後列のイオン発生装置１から発生したイオンに対する検出値は低くなる。
【００４２】  このように、発生したイオンが到達可能な所定の範囲内にイオンセンサ３３が設けられていれば、前後のイオン発生装置１におけるイオン発生の有無を判断できる。これにより、イオンセンサ３３を他の部材に干渉されない位置に設けることが可能となり、イオン発生機内において部材の配置の自由度が増し、イオン発生機の小型化を図れる。
【００４３】  ところで、イオンセンサ３３の位置に応じて、前後のイオン発生装置１に対する検出値の出力レベルが異なる。ここで、イオン発生の有無の判断の精度を上げるために、イオンセンサ３３の位置に応じて、検出対象のイオン発生装置１に対するイオン有無の判断基準を変える。すなわち、制御装置３２は、後列のイオン発生装置１に対する規定値と前列のイオン発生装置１に対する規定値とを変える。例えば、図１２に示す上流側の限界位置にイオンセンサ３３があるとき、後列のイオン発生装置１に対する規定値は前列のイオン発生装置１に対する規定値よりも高く設定される。また、図１４に示す下流側の限界位置にイオンセンサ３３があるとき、前列のイオン発生装置１に対する規定値は後列のイオン発生装置１に対する規定値よりも高く設定される。
【００４４】  イオンセンサ３３が設置されたとき、イオンセンサ３３の位置が制御装置３２に登録される。イオン発生機が運転されると、制御装置３２は、イオンセンサ３３の位置を確認する。そして、制御装置３２は、動作しているイオン発生装置１が後列か前列かをチェックして、規定値を切り替える。制御装置３２は、動作中のイオン発生装置１に応じた規定値を設定し、この規定値に基づいてイオン発生の有無の判断を行う。これにより、検出値の出力レベルが低くても、発生したイオン量の多少を正しく認識できる。したがって、イオン発生の有無を精度よく判断することができる。
【００４５】（第４実施形態）  イオン検出の有無は、イオン発生機の運転中に行われる。ファン２が駆動され、送風路７を風が流れているときに、イオン発生装置１は動作をして、イオンを発生する。風量は切替可能とされる。発生するイオン量が同じであっても、風量によって下壁１６に到達するイオン量が異なる。風量が多いほど、通風路７内の風によってイオンが多く吹き流される。そのため、風量が強のとき、風量が弱のときよりもイオンセンサ３３に到達するイオン量が少なくなる。そこで、制御装置３２は、風量に応じてイオン検出の有無の判断基準を変える。なお、その他の構成は第１〜第３の実施形態と同じである。
【００４６】  イオンセンサ３３は、図７に示す位置にある。風量は、強、中、弱の３段階に切替可能とされる。風量が中のとき、イオンセンサ３３の検出値は、図１６に示すように、徐々に高くなる。このとき、前後のイオン発生装置１における検出値に差はない。風量が弱のとき、イオンセンサ３３の検出値は、図１７に示すように、急激に高くなり、最大値で飽和してしまう。このとき、前後のイオン発生装置１における検出値に差はない。風量が強のとき、イオンセンサ３３の検出値は、図１８に示すように、緩やかに高くなる。このとき、前列のイオン発生装置１における検出値は、後列のイオン発生装置１における検出値よりも低くなる。
【００４７】  イオン発生機が運転されると、制御装置３２は、風量を確認して、風量に応じた規定値を設定する。風量が多くなるほど規定値は低い値とされる。そして、制御装置３２は、設定された規定値に基づいてイオン発生の有無を判断する。したがって、風量に影響を受けずに、イオン発生の有無を正しく判断できる。
【００４８】  ところで、風量が強のとき、前後のイオン発生装置１における検出値に差が生じる。そこで、風量に応じて設定された規定値を動作するイオン発生装置１に応じて補正する。制御装置３２は、動作しているイオン発生装置１が後列か前列かをチェックする。後列のイオン発生装置１が動作しているとき、規定値はそのままとされる。前列のイオン発生装置１が動作しているとき、規定値が低めに変更される。制御装置３２は、動作中のイオン発生装置１に応じて、補正後の規定値に基づいてイオン発生の有無の判断を行う。これにより、風量が切り替えられても、風量に応じて判断基準を変えることにより、イオン発生の有無を精度よく判断することができる。
【００４９】  以上の通り、本発明のイオン発生機は、放電によりイオンを発生するイオン発生装置１と、イオンの発生の有無を検出するイオンセンサ３３とを備え、通風路７内に発生したイオンを送風により吹出口６から吹き出す。複数のイオン発生装置１が一定間隔で送風方向に沿って並んで配置され、イオンセンサ３３は、送風方向の上流側に位置するイオン発生装置１と下流側に位置するイオン発生装置１の間に設けられる。
【００５０】  これにより、イオンセンサ３３を中心にして、隣り合った複数のイオン発生装置１に対するイオン発生の有無を検出することができる。また、２つのイオン発生装置１から離れない範囲内にイオンセンサ３３を設けることができ、送風方向にイオンセンサ３３を設けるためのスペースを拡張しなくてよい。
【００５１】  イオン発生装置１は、正イオンを発生させるための正放電電極２５と負イオンを発生させるための負放電電極２６とを有し、送風方向の上流側に位置するイオン発生装置１の放電電極２５と下流側に位置するイオン発生装置１の放電電極２６とは逆極性とされ、イオンセンサ３３は、正イオンおよび負イオンを検出する。このようなイオンセンサ３３を用いることにより、イオン発生装置１がどのように配置されていても対応できるようにイオンセンサ３３を配置することができる。
【００５２】  イオン発生装置１は、通風路７に面するように設けられ、イオンセンサ３３は、通風路７を挟んでイオン発生装置１に対向して配される。イオン発生装置１から発生したイオンは、広がりながら対向するイオンセンサ３３に向かう。これにより、イオンセンサ３３を配置できる範囲が広がる。
【００５３】  送風方向に沿って並んだ２つのイオン発生装置１は、交互に動作し、２つのイオン発生装置１の動作タイミングに応じてイオンの検出が行われる。これにより、１つずつイオン発生装置１のイオン発生の有無を検出することができる。
【００５４】  イオン発生装置１が動作を開始した後に、イオンの検出が開始される。これにより、イオンの発生後、遅れてイオンを検出するので、先に発生して残留しているイオンを検出するといったノイズを排除でき、検出精度が高まる。
【００５５】  送風中、イオンセンサ３３は検出を行う。これにより、イオン発生機の運転中に、イオン発生の有無を検出でき、イオン発生装置１の異常を検出できる。イオン発生機に異常が発生した場合、すぐに検出することができる。
【００５６】  イオン発生機は、放電によりイオンを発生するイオン発生装置１と、イオンの発生の有無を検出するイオンセンサ３３とを備え、通風路７内に発生したイオンを送風により吹出口６から吹き出す。複数のイオン発生装置１が一定間隔で並んで配置され、イオンセンサ３３は、隣り合うイオン発生装置１の間に設けられる。これにより、イオンセンサ３３を中心にして、隣り合った複数のイオン発生装置１に対するイオン発生の有無を検出することができる。
【００５７】  イオン発生装置１は、イオンを発生させるための放電電極２５，２６を有し、送風方向の上流側に位置するイオン発生装置１の放電電極２５と下流側に位置するイオン発生装置１の放電電極２６とは送風方向に沿って配置され、イオンセンサ３３は、上流側の放電電極２５と下流側の放電電極２６との間に設けられる。
【００５８】  なお、本発明は、上記実施形態に限定されるものではなく、本発明の範囲内で上記実施形態に多くの修正および変更を加え得ることは勿論である。イオン発生機は、空気調和機、空気清浄機、除湿機、加湿機、冷蔵庫、掃除機、洗濯機、照明機器、ファンヒータ、画像処理装置などの電気機器に搭載されたものであってもよい。
【００５９】  イオン発生装置１は、送風方向に沿って３列以上に配置されてもよい。イオンセンサ３３は、２列ごとに１つ設けられる。また、イオンセンサ３３を左右方向に隣り合うイオン発生装置１の間に設けてもよい。イオンセンサ３３は、正イオンおよび負イオンを同時に検出可能なセンサとする。左右のイオン発生装置１は同じタイミングで動作するので、同一のタイミングで２つのイオン発生装置１のイオンを検出できる。また、前後左右の４つのイオン発生装置１の中心にイオンセンサ３３を設けてもよい。このとき、各イオン発生装置１に対する検出タイミングが順にずらされる。これにより、４つのイオン発生装置１を検出対象とすることができ、イオンセンサ３３の個数を減らせる。
【００６０】  送風が停止されているときに、イオン発生装置１を動作させて、イオン検出を行ってもよい。この場合、発生したイオンの動きに対する送風の影響がなくなるので、イオン発生装置１に対して、イオンセンサ３３の配置可能な範囲が広がる。
【符号の説明】
【００６１】        １    イオン発生装置        ２    ファン        ６    吹出口        ７    通風路      １５    側壁      １６    下壁      １７    上壁      ２５    正放電電極      ２６    負放電電極      ３０    運転スイッチ      ３１    風量スイッチ      ３２    制御装置      ３３    イオンセンサ
【図１】
2016035389.tif 000003
【図２】
2016035389.tif 000004
【図３】
2016035389.tif 000005
【図４】
2016035389.tif 000006
【図５】
2016035389.tif 000007
【図６】
2016035389.tif 000008
【図７】
2016035389.tif 000009
【図８】
2016035389.tif 000010
【図９】
2016035389.tif 000011
【図１０】
2016035389.tif 000012
【図１１】
2016035389.tif 000013
【図１２】
2016035389.tif 000014
【図１３】
2016035389.tif 000015
【図１４】
2016035389.tif 000016
【図１５】
2016035389.tif 000017
【図１６】
2016035389.tif 000018
【図１７】
2016035389.tif 000019
【図１８】
2016035389.tif 000020
【国際調査報告】
2016035389.tif 000021
2016035389.tif 000022
2016035389.tif 000023
2016035389.tif 000024